(57)【特許請求の範囲】
【請求項１】
切圧機構部で電線を切断して端部に端子を圧着した端子付き電線を処理する切圧セット装置であって、
複数の電線保持部が並列状に設けられた電線保持バーを支持可能な電線保持バー支持部と、
前記切圧機構部で製造された端子付き電線の端部を保持し、前記電線保持バー支持部に支持された前記電線保持バーの前記複数の電線保持部に順次セットする電線端部保持セット部と、
を備え、
前記切圧機構部は、複数種類の端子付き電線を製造可能に構成されたものであり、
前記電線端部保持セット部は、予め設定された順で並ぶように、前記複数種類の端子付き電線の端部を前記電線保持バーの前記複数の電線保持部に順次セット可能に構成され、
さらに、
前記切圧機構部は、同一種類の端子付き電線を連続的に製造可能に構成されたものであり、
前記電線端部保持セット部は、同一種類の端子付き電線の端部を前記電線保持バーの前記複数の電線保持部に順次セット可能に構成され、
前記電線端部保持セット部は、
前記端子付き電線の端部をその軸回りに回転させる電線端部回転部を有し、
前記電線端部回転部は、一対の把持爪部と、前記一対の把持爪部を接近方向及び離間方向に駆動する爪部駆動部と、前記一対の把持爪部を回転駆動させる爪部回転駆動部とを備え、
前記端子付電線が受渡位置に搬送された状態で、前記端子付電線の端部が前記一対の把持爪部間に配設され、前記一対の把持爪部間に前記端子付電線が配設された状態で、前記一対の把持爪部を閉じて前記爪部回転駆動部により前記一対の把持爪部を回転させることで、前記端子付電線の端部がその軸周りに回転される、切圧セット装置。
【請求項２】
請求項１記載の切圧セット装置を用い、複数の電線からワイヤーハーネスを製造するワイヤーハーネスの製造方法であって、
（ａ）電線を切断して端部に端子を圧着した端子付き電線を製造し、製造された前記端子付き電線の端部を個別に取扱って電線保持バーに並列状に設けられた複数の電線保持部にセットする工程と、
（ｂ）前記各電線保持部にセットされた前記端子付き電線の端部を掴んで処理を行う工程と、
を備えたワイヤーハーネスの製造方法。
【請求項３】
請求項２記載のワイヤーハーネスの製造方法であって、
前記工程（ａ）は、
前記工程（ｂ）における作業順に応じた順で並ぶように、前記端子付き電線の端部を前記複数の電線保持部にセットする工程を含む、ワイヤーハーネスの製造方法。
【請求項４】
請求項３記載のワイヤーハーネスの製造方法であって、
前記工程（ｂ）は、
前記複数の電線保持部にセットされた前記端子付き電線の端部を順次掴んでコネクタハウジングに挿入する工程を含み、
前記工程（ｂ）における作業順はそのコネクタハウジングへの挿入順である、ワイヤーハーネスの製造方法。
【請求項５】
請求項３又は請求項４記載のワイヤーハーネスの製造方法であって、
（ｃ）電線を切断して端部に端子を圧着した端子付き電線を、その種類に応じた単位別に製造する工程と、
（ｄ）前記種類別に製造された端子付き電線に対して中間処理を施す工程と、
（ｅ）前記工程（ｂ）で処理された前記端子付き電線と前記工程（ｄ）で処理された前記端子付き電線とで、ワイヤーハーネスの少なくとも一部を製造する工程と、
をさらに備えたワイヤーハーネスの製造方法。
【請求項６】
請求項５記載のワイヤーハーネスの製造方法であって、
前記工程（ｃ）は、製造された前記端子付き電線の端部を個別に取扱って、種類別に電線保持バーの各電線保持部にセットする工程を含む、ワイヤーハーネスの製造方法。
【発明の詳細な説明】
【技術分野】
【０００１】
この発明は、自動車や各種機器用のワイヤーハーネスを製造する技術に関する。
【背景技術】
【０００２】
ワイヤーハーネスの一般的な製造工程は、例えば、切断圧着工程、必要に応じた後工程、サブアッシー工程、組立工程、検査工程を有している。切断圧着工程は電線を所定長に切断して端部に端子を圧着する工程であり、後工程は必要に応じて電線の中間皮剥ぎを行ったりツイスト（捻り）を加える工程であり、サブアッシー工程は複数の電線端部をコネクタハウジングに挿入等してサブアッシーを製造する工程であり、組立工程は複数のサブアッシーから最終的なワイヤーハーネスを製造する工程であり、検査工程は導通検査等の各種検査を行う工程である。
【０００３】
ここで、特許文献１は、複数種の電線をロット別に製造し、このロット別の電線を電線ホルダに束状にまとめて一時保管し、作業者が電線ホルダからロット別に束ねられた電線群から電線を適宜選択して取出して電線クリップに係止してハーネス用セットを形成する技術を開示している。
【０００４】
【特許文献１】特開平６−２２３６４６号公報
【発明の開示】
【発明が解決しようとする課題】
【０００５】
しかしながら、従来では、切断圧着工程で、所定長に切断され及び端部に端子圧着された電線は、ロット単位で束ねる等された状態で、下流工程に搬送されるのが一般的であった。上記特許文献１でも、同様に、切断圧着された直後の電線は、ロット別に電線ホルダに束状に一時保管されている。
【０００６】
このため、切断圧着工程の下流工程においては、束ねられた電線から１つずつ電線を取出して次工程の処理を行う必要があった。複数の電線を束ねた場合、その端部は密集して存在し、また、電線相互が絡み合い易い。このため、手作業で行うとしても、束ねられた電線から１つずつ電線を取出して処理を行うことは面倒であった。まして、当該作業の機械による自動処理化は困難であった。
【０００７】
また、複数の電線が束ねられているので、その搬送時や電線の取出し時に、端子や電線の傷付き、破損等を生じ易かった。
【０００８】
そこで、本発明は、切断圧着工程の下流工程での作業利便性を向上させると共に、電線や端子への傷付き、破損等を防止することができるようにすることを目的とする。
【課題を解決するための手段】
【０００９】
上記課題を解決するため、第１の態様に係る切圧セット装置は、切圧機構部で電線を切断して端部に端子を圧着した端子付き電線を処理する切圧セット装置であって、複数の電線保持部が並列状に設けられた電線保持バーを支持可能な電線保持バー支持部と、前記切圧機構部で製造された端子付き電線の端部を保持し、前記電線保持バー支持部に支持された前記電線保持バーの前記複数の電線保持部に順次セットする電線端部保持セット部と、を備えたものである。
【００１０】
また、第１の態様に係る切圧セット装置は、前記切圧機構部は、複数種類の端子付き電線を製造可能に構成されたものであり、前記電線端部保持セット部は、予め設定された順で並ぶように、前記複数種類の端子付き電線の端部を前記電線保持バーの前記複数の電線保持部に順次セット可能に構成されたものである。
【００１１】
また、第１の態様に係る切圧セット装置は、前記切圧機構部は、同一種類の端子付き電線を連続的に製造可能に構成されたものであり、前記電線端部保持セット部は、同一種類の端子付き電線の端部を前記電線保持バーの前記複数の電線保持部に順次セット可能に構成されたものである。
【００１２】
また、第１の態様に係る切圧セット装置は、前記電線端部保持セット部は、前記端子付き電線の端部をその軸回りに回転させる電線端部回転部を有するものであり、前記電線端部回転部は、一対の把持爪部と、前記一対の把持爪部を接近方向及び離間方向に駆動する爪部駆動部と、前記一対の把持爪部を回転駆動させる爪部回転駆動部とを備え、前記端子付電線が受渡位置に搬送された状態で、前記端子付電線の端部が前記一対の把持爪部間に配設され、前記一対の把持爪部間に前記端子付電線が配設された状態で、前記一対の把持爪部を閉じて前記爪部回転駆動部により前記一対の把持爪部を回転させることで、前記端子付電線の端部がその軸周りに回転されるものである。
【００１３】
第２の態様に係るワイヤーハーネスの製造方法は、第１の態様に係る切圧セット装置を用い、複数の電線からワイヤーハーネスを製造するワイヤーハーネスの製造方法であって、（ａ）電線を切断して端部に端子を圧着した端子付き電線を製造し、製造された前記端子付き電線の端部を個別に取扱って電線保持バーに並列状に設けられた複数の電線保持部にセットする工程と、（ｂ）前記各電線保持部にセットされた前記端子付き電線の端部を掴んで処理を行う工程と、を備えたものである。
【００１４】
第３の態様に係るワイヤーハーネスの製造方法は、第１の態様であって、前記工程（ａ）は、前記工程（ｂ）における作業順に応じた順で並ぶように、前記端子付き電線の端部を前記複数の電線保持部にセットする工程を含むものである。
【００１５】
第４の態様に係るワイヤーハーネスの製造方法は、第３の態様であって、前記工程（ｂ）は、前記複数の電線保持部にセットされた前記端子付き電線の端部を順次掴んでコネクタハウジングに挿入する工程を含み、前記工程（ｂ）における作業順はそのコネクタハウジングへの挿入順であるものである。
【００１６】
第５の態様に係るワイヤーハーネスの製造方法は、第３又は第４の態様であって、（ｃ）電線を切断して端部に端子を圧着した端子付き電線を、その種類に応じた単位別に製造する工程と、（ｄ）前記種類別に製造された端子付き電線に対して中間処理を施す工程と、（ｅ）前記工程（ｂ）で処理された前記端子付き電線と前記工程（ｄ）で処理された前記端子付き電線とで、ワイヤーハーネスの少なくとも一部を製造する工程と、をさらに備えたものである。
【００１７】
第６の態様に係るワイヤーハーネスの製造方法は、第５の態様であって、前記工程（ｃ）は、製造された前記端子付き電線の端部を個別に取扱って、種類別に電線保持バーの各電線保持部にセットする工程を含むものである。
【発明の効果】
【００１８】
第１の態様に係る切圧セット装置によると、切断及び端子圧着された端子付き電線の端部が、電線保持バーの各電線保持部に並列状にセットされたものを得ることができる。このため、下流工程での作業利便性を向上させることができると共に、電線や端子への傷付き、破損等を防止することができる。
【００１９】
第１の態様によると、切断及び端子圧着された複数種類の端子付き電線の端部が、前記電線保持バーの前記複数の電線保持部に予め設定された順で並んだものを得ることができる。このため、例えば、当該順を下流工程における作業順に応じた順とすることができ、下流工程での作業利便性をより向上させることができる。
【００２０】
第１の態様によると、同一種類の電線の端子付き電線の端部が、電線保持バーの複数の電線保持部に並列状にセットされたものを得ることができる。このため、例えば、種類別に製造された端子付き電線に関しても、下流工程での作業利便性を向上させることができる。
【００２１】
第１の態様によると、前記電線端部保持セット部は、前記端子付き電線の端部をその軸回りに回転させる電線端部回転部を有するため、端子付き電線の端部を、下流工程での処理に適した姿勢で回転させた状態で、電線保持部に保持させることができる。このため、下流工程での作業利便性により優れる。
【００２２】
第２の態様に係るワイヤーハーネスの製造方法によると、前記端子付き電線の端部は、電線保持バーの電線保持部にセットされた状態で、下流工程に搬送される。このため、端子付き電線の端部を個別に掴んで取出して処理を行うことが容易となり、切断圧着工程の下流工程での作業利便性に優れる。
【００２３】
また、端子付き電線の端部は電線保持バーの電線保持部によって並列状に保持されるため、電線や端子への傷付き、破損等を防止することができる。
【００２４】
第３の態様によると、工程（ａ）で、工程（ｂ）における作業順に応じた順で並ぶように、前記端子付き電線の端部を前記複数の電線保持部にセットするため、当該工程（ｂ）での処理をより円滑に行える。
【００２５】
第４の態様によると、コネクタハウジングへの挿入処理を円滑に行える。
【００２６】
第５の態様によると、端子付き電線のうち中間処理を行う必要がないものについては工程（ａ）（ｂ）を経て処理順に応じた処理で円滑に製造処理を施すことができる。一方、端子付き電線のうち中間処理を行う必要があるものについては、工程（ｃ）（ｄ）を経て種類別に効率的に中間処理を施すことができる。そして、これらを組合わせて、ワイヤーハーネスの少なくとも一部を製造することができる。従って、端子付き電線に対して加えられる製造処理の内容に応じて、効率的にワイヤーハーネスを製造することができる。
【００２７】
また、第６の態様によると、前記工程（ｃ）で、種類別に、前記端子付き電線の端部が電線保持バーの各電線保持部にセットされるため、工程（ｄ）での作業利便性に優れると共に、電線や端子への傷付き、破損等を防止することができる。
【発明を実施するための最良の形態】
【００２８】
以下、実施形態に係る切圧セット装置及びその切圧セット装置の使用に適したワイヤーハーネスの製造方法について説明する。
【００２９】
＜１．切圧セット装置＞
まず、切圧セット装置について説明する。図１は切圧セット装置の全体構成を示す説明図である。この切圧セット装置は、切圧機構部２２で処理された端子付き電線１８を電線端部セット機構部３０で処理するものであり、上記切圧機構部２２で電線の長尺切断及び端子圧着を行い、電線端部セット機構部３０でその端子付き電線１８の端部を電線保持バー１０に順次セットするように構成されている。
【００３０】
ここで、端子付き電線１８の端部をセットするための電線保持バー１０について説明しておく。図２（ａ）は電線保持バー１０を示す平面図であり、図２（ｂ）は同電線保持バー１０を示す正面図である。
【００３１】
電線保持バー１０は、本体部１２と、複数の電線保持部１４と、側板部１６とを有している。
【００３２】
本体部１２は、長尺棒状に形成されており、その長手方向に沿って延びる一側面１２ｆ側部分に、その長手方向に沿って間隔をあけて複数の保持凹部１２ａが形成されている。各保持凹部１２ａは、本体部１２の前記一側面１２ｆ及びその一側面の隣の両側面に開口する溝状に形成されており、その前記一側面１２ｆ側の開口端部はその基端側よりも狭まっていいる。
【００３３】
各電線保持部１４は、端子付き電線１８の端部を保持可能に構成された部材である。ここでは、電線保持部１４は、弾性を有する金属板を屈曲加工することで形成されており、固定端部１４ａと挟持部１４ｂとを有し、それらの間部分が固定端部１４ａと挟持部１４ｂよりも幅狭に形成されている。そして、上記固定端部１４ａを上記保持凹部１２ａ内に嵌め込むように挿入することで、挟持部１４ｂを本体部１２の前記一側面１２ｆより突出させた姿勢で、電線保持部１４が本体部１２に対して固定保持される。また、複数の電線保持部１４を、同様にして各保持凹部１２ａに挿入嵌め込みすることで、それらの複数の電線保持部１４が本体部１２に対してその長手方向に沿って並列状に支持されることになる。
【００３４】
なお、ここでは、複数の電線保持部１４は、本体部１２に対して略均等間隔で並ぶように支持されているが、必ずしもその必要はない。例えば、電線保持部１４が比較的狭い間隔で並ぶ部分と、電線保持部１４が比較的広い間隔で並ぶ部分とが存在していてもよい。
【００３５】
また、上記挟持部１４ｂは、互いに突合わされる２つの端部を有している。２つの端部の先端側部分１４ｃはその先端方向に向けてやや拡開すると共に、突合わされた２つの端部の基端側部分１４ｄはその基端方向に向けてやや拡開しており、それらの間部分１４ｅが狭隘部として互いに当接するようになっている。
【００３６】
また、本体部１２のうち上記保持凹部１２ａが形成された一側面１２ｆの隣の両側面に、それぞれ側板部１６がネジ止等で固定されている。この側板部１６は、上記保持凹部１２ａに挿入保持された電線保持部１４が当該保持凹部１２ａの開口部から脱落するのを防止する役割を有している。
【００３７】
この電線保持バー１０では、端子付き電線１８の端部を電線保持部１４の先端側から挿入すると、当該端子付き電線１８の外周部が挟持部１４ｂの両端部のうち先端側部分１４ｃの内面に摺接して、当該挟持部１４ｂの両端部を押広げる。そして、端子付き電線１８が前記狭隘部である間部分１４ｅを越えると、挟持部１４ｂの両端部が弾性復帰して原形に狭まる。これにより、端子付き電線１８の端部が挟持部１４ｂの両端部間に抜止め状に保持されるようになる。
【００３８】
図１に戻って、切圧機構部２２は、電線を切断して端部に端子を圧着可能に構成されている。ここでは、切圧機構部２２は、複数種類の端子付き電線１８を所定順で製造可能に構成されており、複数種類の端子付き電線１８を適宜混在させた順でも、同一種類の端子付き電線１８を連続的にも製造可能とされている。
【００３９】
より具体的には、切圧機構部２２は、電線調尺切断部２３と、電線皮剥部２４と、端子圧着部２５とを備えると共に、電線端部を搬送する電線端部搬送機構部２６とを有している。
【００４０】
電線調尺切断部２３は、複数種類の電線を選択的に所定長に切断可能に構成されたものであり、例えば、電線を巻回収納したリールと、前記リールから電線長を測長しつつ電線を引出す電線測長引出部と、引出された電線を切断する電線切断部と、引出された電線をＵ字状に折返えす折返し部とを有する構成を採用することができる。そして、電線測長引出部の駆動によりリールから電線を所定長引出して、電線切断部により電線を切断する。また、引出された電線の一端部を折返し部により折返して略Ｕ字状にし、その両端部を上記電線端部搬送機構部２６にセットする。これにより、所定長に切断された電線Ｗが得られる。また、上記リールが複数設けられると共に、当該各リールから選択的に電線を供給可能にする電線選択供給部が設けられている。これにより、複数種類の電線を適宜切替えて所定長に切断することができる。
【００４１】
このように複数の種類の電線を選択的に供給して所定長の電線に切断する電線調尺切断部２３自体の構成は、例えば、特開平９−３０６２５７号公報等に開示された周知の構成を採用することができる。
【００４２】
電線皮剥部２４は、電線Ｗの端部を皮剥ぎするものであり、例えば、接近離隔自在な一対の皮剥刃と、当該皮剥ぎ刃を電線Ｗ端部に向けて進退駆動させる進退駆動部とを有する構成を採用することができる。そして、本電線皮剥部２４に搬送された電線端部に向けて一対の皮剥刃を接近移動させ、一対の皮剥刃を電線Ｗの被覆部に切込ませた状態で、電線の端部側に向けて移動させることで、電線Ｗの端部の被覆部が皮剥ぎされる。このような電線皮剥部２４としては、上記のように一対の皮剥刃で被覆部を除去する構成等、種々の周知構成を採用することができる。
【００４３】
端子圧着部２５は、電線Ｗ端部に対して複数種類の端子を選択的に圧着可能に構成されており、例えば、複数対のダイセットを有し、その複数対の中から一対のダイセットを共通の端子圧着ポジションにセット可能な圧着装置において、複数種類の端子を選択的に前記端子圧着ポジションに供給可能に構成したものを用いることができる。
【００４４】
そして、上記電線皮剥部２４で皮剥ぎされた電線Ｗの端部が、本端子圧着部２５に搬送されると、予め設定された所定の端子が選択されて供給されると共に、当該所定の端子に応じた一対のダイセットが選択されて端子圧着ポジションにセットされ、これにより、当該電線Ｗの端部に所定の端子が圧着され、端子付き電線１８が得られることになる。
【００４５】
このような端子圧着部２５自体は、例えば、特開２００５−１３５８２２号公報等に開示された周知の構成を採用することができる。
【００４６】
電線端部搬送機構部２６は、電線Ｗの端部を保持して、電線調尺切断部２３から電線皮剥部２４及び端子圧着部２５を経由して、電線端部セット機構部３０側の受渡し位置ＷＰに向けて搬送可能に構成されている。より具体的には、電線Ｗの両端部を把持及び把持解除可能な一対の電線端部保持部２７と、当該電線端部保持部２７を、電線調尺切断部２３、電線皮剥部２４、端子圧着部２５に対応する各位置及び受渡し位置ＷＰ間で往復移動させる電線端部往復駆動部２８とを有している。
【００４７】
各電線端部保持部２７は、開閉自在な一対の把持片２７ａを有している。一対の把持片２７ａの一端部は所定の軸周りに回転自在に支持されており、エアシリンダ等のアクチュエータ等の駆動によって、立設状に閉じた閉姿勢と、倒伏状に開いた開姿勢との間で視線変更自在とされている。この一対の電線端部保持部２７は、電線端部往復駆動部２８に所定間隔あけた状態で移動可能に設けられている。
【００４８】
電線端部往復駆動部２８は、リニアモータ等のアクチュエータを有しており、上記一対の各電線端部保持部２７を、電線調尺切断部２３から電線皮剥部２４、端子圧着部２５を経て、受渡し位置ＷＰに向けて移動させるように構成されている。電線端部往復駆動部２８は、各電線端部保持部２７に保持された電線Ｗの端部が、電線皮剥部２４及び端子圧着部２５における各作業位置を通過する際に一旦停止し、当該電線Ｗの端部に対して皮剥ぎ処理や端子圧着処理等を行わせる。そして、所定長に切断され、端部の皮剥ぎ及び端子圧着された端子付き電線１８の端部を、上記端子圧着部２５よりも電線端部セット機構部３０よりの位置に設定された受渡し位置ＷＰに搬送し、ここで、それらの端部を電線端部セット機構部３０に渡すように構成されている。
【００４９】
なお、本実施形態では、切圧機構部２２は、電線の種類及び端子の種類の双方を変更可能に構成されているが、その一方のみ変更可能であっても構わない。また、切圧機構部２２は、一種類の電線の端部に対して一種類の端子を連続的に圧着するものであっても構わない。
【００５０】
電線端部セット機構部３０は、電線端部保持セット部３２と、電線保持バー支持部４０とを備えている。
【００５１】
電線端部保持セット部３２は、切圧機構部２２で端子圧着された端子付き電線１８の端部を保持し、端子付き電線１８の端部を電線保持バー支持部４０に支持された電線保持バー１０の各電線保持部１４に順次セット可能に構成されている。
【００５２】
ここでは、電線端部保持セット部３２は、一対の電線端部回転部３３と、電線端部搬送セット部３６とを有している。
【００５３】
図３は電線端部回転部３３を示す正面図であり、図４は電線端部回転部３３を示す側面図である。一対の電線端部回転部３３は、図１、図３及び図４に示すように、それぞれ端子付き電線１８の端部をその軸回りに回転できるように構成されている。より具体的には、一対の電線端部回転部３３は、上記受渡し位置ＷＰにおける一対の電線端部保持部２７からそれぞれ端子付き電線１８の端部を受取り可能な位置に設けられている。各電線端部回転部３３は、一対の把持爪部３４ａと、爪部駆動部３４ｂと、爪部回転駆動部３４ｃとを有している。
【００５４】
一対の把持爪部３４ａは、略平行姿勢で延びる一対の板材の先端部をその近接方向に向けて略Ｌ字状に折曲げた形状に形成されている。この一対の把持爪部３４ａは、エアシリンダ等のアクチュエータによって構成された爪部駆動部３４ｂの駆動によって、接近方向及び離間方向に往復移動可能に構成されている。
【００５５】
また、爪部回転駆動部３４ｃは、モータ等のアクチュエータによって構成されており、上記一対の把持爪部３４ａを爪部駆動部３４ｂと共に回転できるように構成されている。
【００５６】
そして、一対の把持爪部３４ａを上下に離間させた状態で、上記各電線端部保持部２７を受渡し位置ＷＰに配設することで、当該各電線端部保持部２７に保持された端子付き電線１８の端部が、各電線端部回転部３３における一対の把持爪部３４ａ間にそれぞれ配設されるようになる。また、この状態で、爪部駆動部３４ｂの駆動によって一対の把持爪部３４ａを閉じ、各電線端部保持部２７を開くことで、端子付き電線１８の各端部が各電線端部保持部２７から各電線端部回転部３３に受渡され、各一対の把持爪部３４ａで把持される。この後、必要に応じて、爪部回転駆動部３４ｃの駆動により一対の把持爪部３４ａを例えば１８０度回転させることで、端子付き電線１８の端部がその軸回りに回転される。端子付き電線１８の端部が回転された場合、当該回転姿勢がそのまま維持されるように、後での電線端部搬送セット部３６における搬送及び受取り、受渡し等がなされる。
【００５７】
なお、端子付き電線１８の端部を回転させるかどうかは、下流工程での作業に応じて決定され、予め制御ユニット５０に設定されており、当該設定に応じて動作する。例えば、下流工程で、端子付き電線１８の端部をコネクタハウジングに挿入する場合、その挿入姿勢に応じて回転させるかどうかが決定される。回転不要な場合には、本各電線端部回転部３３は、各電線端部保持部２７から端子付き電線１８の端部を受取った後、回転させることなく、次の電線端部搬送セット部３６に渡す。なお、電線端部回転部３３は、省略されてもよい。
【００５８】
図５は電線端部搬送セット部３６を示す正面図であり、図６は電線端部搬送セット部３６の要部を示す正面図であり、図７は電線端部搬送セット部３６の要部を示す側面図である。
【００５９】
電線端部搬送セット部３６は、上記各電線端部回転部３３から受取った端子付き電線１８の端部を、電線保持バー１０に順次セットしていくように構成されている。より具体的には、電線端部搬送セット部３６は、電線端部把持セット部３７と、電線端部把持セット部３７を移動させるセット部移動機構部３９とを有している。
【００６０】
電線端部把持セット部３７は、ベースプレート３７ａに対して第１昇降駆動部３７ｂを介して昇降駆動可能に支持された中間プレート３７ｃと、当該中間プレート３７ｃに対してそれぞれ第２昇降駆動部３７ｄを介して昇降駆動可能に支持された一対の個別プレート３７ｅと、一対の個別プレート３７ｅにそれぞれ支持された一対の把持部３８とを有している。
【００６１】
上記第１昇降駆動部３７ｂは、エアシリンダ等のアクチュエータによって構成されており、中間プレート３７ｃを昇降駆動させるように構成されている。一対の第２昇降駆動部３７ｄは、それぞれエアシリンダ等のアクチュエータによって構成されており、一対の個別プレート３７ｅをそれぞれ別々に昇降駆動させるように構成されている。これにより、第１昇降駆動部３７ｂは一対の把持部３８を同期して昇降駆動し、一対の第２昇降駆動部３７ｄは一対の把持部３８を個別に昇降駆動する構成となっている。
【００６２】
一対の把持部３８は、一対の個別プレート３７ｅのそれぞれに垂下状に支持されており、端子付き電線１８の端部を把持及び把持解除可能に構成されている。より具体的には、各把持部３８は、一対の爪部３８ａと、エアシリンダ等のアクチュエータによって構成され当該一対の爪部３８ａを接近及び離間移動させる爪部駆動部３８ｂとを有している。一対の爪部３８ａは、先端側に向けて２つに分岐しており、端子付き電線１８の端部をその長手方向において間隔をあけた２箇所で把持可能に構成されている。そして、爪部駆動部３８ｂの駆動により一対の爪部３８ａを接近移動させることで、両爪部３８ａ間に端子付き電線１８の端部が把持され、爪部駆動部３８ｂの駆動により一対の爪部３８ａを離隔移動させることで、両爪部３８ａ間から端子付き電線１８の端部の把持が解除される。
【００６３】
また、セット部移動機構部３９は、上記電線端部把持セット部３７を、電線端部回転部３３に対応する位置と電線保持バー支持部４０との間で往復移動させる。ここでは、セット部移動機構部３９は、一対のプーリー体３９ａと、一方側のプーリー体３９ａを正逆両方向に回転駆動可能なモータ３９ｂと、一対のプーリー体３９ａに巻掛けられた無端環状のベルト体３９ｃとを備えている。上記電線端部把持セット部３７のベースプレート３７ａは上記ベルト体３９ｃの途中に連結されている。そして、モータ３９ｂの正逆両方向への回転駆動によって、電線端部把持セット部３７が電線端部回転部３３に対応する位置と電線保持バー支持部４０との間で往復駆動されると共に、その途中の任意の位置で停止可能に構成されている。なお、本セット部移動機構部３９は、上記構成の他、モータとボールネジ機構等を用いた直線移動機構等、各種アクチュエータによって構成することができる。
【００６４】
本電線端部搬送セット部３６では、次のようにして端子付き電線１８の端部を搬送して電線保持バー１０にセットする。
【００６５】
すなわち、セット部移動機構部３９の駆動により電線端部把持セット部３７を電線端部回転部３３に対応する上方位置に移動させる。そして、一対の把持部３８のそれぞれの一対の爪部３８ａを離間させた状態で、第１昇降駆動部３７ｂの駆動により一対の把持部３８を下降させて、それぞれの一対の爪部３８ａを、電線端部回転部３３で把持された端子付き電線１８の端部を挟込み可能な位置に移動させる。この状態で、各爪部駆動部３８ｂの駆動によりそれぞれの一対の爪部３８ａを接近移動させることで、それぞれの一対の爪部３８ａで端子付き電線１８の各端部が把持される。この後、第１昇降駆動部３７ｂの駆動により一対の把持部３８を上昇させ、さらに、セット部移動機構部３９の駆動により電線端部把持セット部３７を、電線保持バー支持部４０に支持された電線保持バー１０の上方に移動させる。
【００６６】
電線保持バー支持部４０に支持された電線保持バー１０の上方では、まず、一方の把持部３８で把持された端子付き電線１８の端部が、電線保持バー１０の各電線保持部１４のうちセットすべき位置上方に位置するように、セット部移動機構部３９の駆動により電線端部把持セット部３７を移動させる。この状態で、第２昇降駆動部３７ｄの駆動により或は第１昇降駆動部３７ｂと第２昇降駆動部３７ｄとの両駆動により、当該一方の把持部３８で把持された端子付き電線１８の端部が、前記セットすべき電線保持部１４で保持される位置まで、当該一方の把持部３８を下降させる。そして、爪部駆動部３８ｂの駆動により当該一方の把持部３８の一対の爪部３８ａを離間移動させることで、当該一方の把持部３８による把持を解除する。これにより、端子付き電線１８の一方の端部が所望の電線保持部１４にセットされる。
【００６７】
端子付き電線１８の端部を、電線保持バー１０におけるどの電線保持部１４にセットするかは、後述するように、制御ユニット５０に対する作業指令に応じて決定される。つまり、作業指令として複数種類の端子付き電線１８の製造順、及び、製造された各端子付き電線１８の並び順が設定されており、制御ユニット５０は、当該設定内容に基づいて、当該把持している端子付き電線１８の端部を電線保持バー１０におけるどの電線保持部１４にセットすべきかを判別する。そして、制御ユニット５０が、当該位置の電線保持部１４にセットするように電線端部搬送セット部３６を制御する。これにより、複数種類の端子付き電線１８の端部が、予め設定された上記順で並ぶように、電線保持バー１０の各電線保持部１４に順次セットされる。
【００６８】
また、作業指令として同一種類の端子付き電線１８を製造する旨入力されることで、制御ユニット５０は、同一種類の端子付き電線１８の端部を電線保持バー１０に各電線保持部１４に順次セットしていくように、電線端部搬送セット部３６を制御する。
【００６９】
なお、複数種類の端子付き電線１８の製造順と電線保持バー１０における端子付き電線１８の端部の並び順とは必ずしも一致しなくともよい。製造順及び端部の並び順は、例えば、次工程での製造状況に応じて適宜決定される。
【００７０】
この後、第２昇降駆動部３７ｄの駆動により或は第１昇降駆動部３７ｂと第２昇降駆動部３７ｄとの両駆動により、当該一方の把持部３８が上昇する。次に、他方の把持部３８で把持された端子付き電線１８の端部についても、上記と同様動作により、他の所望の電線保持部１４にセットする。そして、端子付き電線１８の両端部を、電線保持バー１０の各電線保持部１４にセットし終ると、セット部移動機構部３９の駆動により、電線端部把持セット部３７を電線端部回転部３３に対応する上方位置に移動させて、上記動作を繰返す。これにより、切圧機構部２２で端子圧着された端子付き電線１８の両端部が、その製造順で順次電線保持バー１０の各電線保持部１４にセットされる。
【００７１】
図８は電線保持バー支持部４０を示す正面図である。電線保持バー支持部４０は、上記電線保持バー１０を支持可能に構成されている。ここでは、端子付き電線１８の端部が保持された電線保持バー１０を、空の電線保持バー１０に入替えて円滑な処理が行われるように次の構成を採用している。
【００７２】
すなわち、電線保持バー支持部４０は、２つのバー支持機構部４２、４５を有している。
【００７３】
一方のバー支持機構部４２は、バー支持部４３と、支持部水平移動部４４とを有している。バー支持部４３は、電線保持バー１０のうち電線保持部１４が設けられた部分とは反対側の一部を嵌め込み可能な凹部４３ａを有している。そして、電線保持バー１０は、その一部を当該凹部４３ａに嵌め込むようにして支持される。支持部水平移動部４４は、エアシリンダ等のアクチュエータによって構成されており、バー支持部４３を、電線端部搬送セット部３６側の電線端部セット可能位置とそこから側方に離れた脱着位置との間で往復移動させるように構成されている。
【００７４】
他方のバー支持機構部４５は、上記と同様のバー支持部４６と、支持部水平移動部４７と、支持部昇降移動部４８とを有している。支持部昇降移動部４８は、エアシリンダ等のアクチュエータによって構成されており、バー支持部４６を、上記バー支持部４３と略同じ高さ位置とそれよりも下方の高さ位置との間で昇降駆動可能に支持している。支持部水平移動部４７は、エアシリンダ等のアクチュエータによって構成されており、バー支持部４６を支持部昇降移動部４８と共に、電線端部搬送セット部３６側の電線端部セット可能位置とそこから側方に離れた脱着位置との間で往復移動させるように構成されている。
【００７５】
そして、一方のバー支持部４３に支持された電線保持バー１０に対して端子付き電線１８の端部をセットする場合には、支持部水平移動部４４の駆動により一方のバー支持部４３を上記電線端部セット可能位置に移動させる。この状態で、支持部水平移動部４７の駆動により、他方のバー支持部４６を脱着位置に移動させる。これにより、他方のバー支持部４６に対して、端子付き電線１８の端部をセット済の電線保持バー１０を取外したり、或は、空の電線保持バー１０をセットすることができる。
【００７６】
そして、一方のバー支持部４３に支持された電線保持バー１０に対して端子付き電線１８の端部のセットが終了すると、支持部水平移動部４４の駆動により一方のバー支持部４３を上記脱着位置に移動させる。この状態で、支持部水平移動部４７の駆動により、他方のバー支持部４６を電線端部セット可能位置に移動させると共に、支持部昇降移動部４８の駆動により、当該他方のバー支持部４６を上方に移動させる。これにより、当該他方のバー支持部４６に支持された電線保持バー１０に対して端子付き電線１８の端部をセットできる。
【００７７】
上記のように、２つのバー支持部４３、４６を交互に電線端部セット可能位置と脱着位置とに移動させることで、電線保持バー１０に対する端子付き電線１８の端部のセットと電線保持バー１０の脱着を連続的に行うことができる。
【００７８】
なお、上記切圧機構部２２及び電線端部セット機構部３０の動作は、ＣＰＵ、ＲＯＭおよびＲＡＭ等を備える一般的なマイクロコンピュータによって構成された制御ユニット５０によって制御される。制御ユニット５０には各種キー等によって構成された入力部５２が接続されており、当該入力部５２を通じて作業指示が入力される。本制御ユニット５０は、当該入力部５２を通じて切圧機構部２２における複数種の端子付き電線１８の製造順に関する指令を受付け、当該指令に応じて複数種の電線や複数種の端子を選択して指令に応じた端子付き電線１８を製造するように制御する。本制御ユニット５０は、当該入力部５２を通じて製造された端子付き電線１８の端部の並び順を受付け可能に構成されており、当該指令に応じて各端子付き電線１８の端部を電線保持バー１０の各電線保持部１４にセットしていくように構成されている。また、本制御ユニット５０は、入力部５２を通じて切圧機構部２２で製造された端子付き電線１８のうちどの電線のどの端部を回転させるかの指示を受け可能に構成されており、当該支持に応じて、上記各電線端部回転部３３を制御して必要に応じた回転動作を行わせる。
【００７９】
このように構成された切圧セット装置の全体動作について説明する。
【００８０】
まず、切圧機構部２２において所定の電線を所定長に切断して所定の端子を圧着した端子付き電線１８が順次製造される（図１参照）。すると、製造された端子付き電線１８の両端部が電線端部往復駆動部２８の一対の各電線端部保持部２７によって受渡し位置ＷＰに搬送される。なお、同種の端子付き電線１８を連続して製造するか、或は、複数種類の端子付き電線１８を所定の順で製造するかは、予め上記入力部５２を通じて制御ユニット５０に与えられた指令に応じてなされる。
【００８１】
受渡し位置ＷＰでは、端子付き電線１８の両端部が一対の電線端部回転部３３にそれぞれ渡される。そして、必要に応じて、端子付き電線１８の各端部が一対の電線端部回転部３３のそれぞれで回転される（図１、図３及び図４参照）。
【００８２】
一対の電線端部回転部３３に把持された端子付き電線１８の両端部は、電線端部搬送セット部３６の一対の把持部３８でそれぞれ把持され、電線保持バー支持部４０にセットされた電線保持バー１０の上方に移動する。そして、電線保持バー１０の長手方向に沿った適宜位置に移動した状態で、一対の把持部３８が個別に下降移動することで、端子付き電線１８のそれぞれの端部が、電線保持バー１０における所望位置の電線保持部１４にセットされる（図１、図５〜図７参照）。
【００８３】
切圧機構部２２において順次製造された端子付き電線１８に対して上記処理を繰返すことで、電線保持バー１０の各電線保持部１４には、複数の端子付き電線１８の両端部がセットされる。これにより、複数の端子付き電線１８の両端部が電線保持バー１０の各電線保持部１４にセットされたものが得られる。
【００８４】
そして、電線保持バー１０を空のものに交換しつつ、上記を繰返すことで、端子付き電線１８の端部がセットされた複数セットの電線保持バー１０を得ることができる。
【００８５】
以上のように構成された切圧セット装置によると、切断及び端子圧着された端子付き電線１８の端部が、電線保持バー１０の各電線保持部１４に並列状にセットしたものを得ることができる。このため、下流工程での作業利便性を向上させることができると共に、電線や端子への傷付き、破損等を防止することができる。
【００８６】
また、複数種類の端子付き電線１８の端部が、電線保持バー１０の複数の電線保持部１４に予め設定された順で並んだものを得ることができる。このため、例えば、当該順を下流工程における作業順に応じた順とすることができ、下流工程での作業利便性をより向上させることができる。
【００８７】
また、同一種類の端子付き電線１８を製造する場合においても、当該同一種類の端子付き電線１８の端部が電線保持バー１０の複数の電線保持部１４に並列状に並んだものを得ることができる。このため、同一種類の端子付き電線１８を製造する場合に関しても、下流工程での作業利便性を向上させることができる。
【００８８】
また、端子付き電線１８の端部を電線端部回転部３３で回転させているため、端子付き電線１８の端部を、下流工程での処理に適した姿勢で回転させた状態で、電線保持部１４にセットすることができる。このため、下流工程での作業利便性により優れる。
【００８９】
なお、本実施形態では、端子付き電線１８の両方の端部を電線保持バー１０にセットする例で説明したが、一方の端部だけを電線保持バー１０にセットする構成であってもよい。この場合、端子付き電線１８の他方の端部については、コネクタハウジングに挿入してしまってもよいし、或は、束ねた状態としてもよい。また、切圧機構部２２から搬送される端子付き電線１８の両端部に端子が圧着されている必要はなく、例えば、一端だけに端子が圧着された電線等が存在していてもよい。また、端子付き電線１８の一端部と他端部とを別々の電線保持バー１０にセットするようにしてもよい。
【００９０】
また、切圧機構部２２で端子圧着された直後の端子付き電線１８の端部を把持する機構部を、電線端部セット機構部３０側の構成として備えていてもよい。
【００９１】
＜２．ワイヤーハーネスの製造方法＞
上記切圧セット装置の使用に適したワイヤーハーネスの製造方法について説明する。
【００９２】
ワイヤーハーネスは、複数の電線に対して切断や端子圧着等の各種処理を施し、これらを所定の配線形態で束ねることで製造される。このように製造されたワイヤーハーネスは、自動車等に搭載される各種電気機器（例えば、電子制御ユニットや各種センサ、各種アクチュエータ）同士を電気的に接続する配線として用いられる。
【００９３】
図９は実施形態に係るワイヤーハーネスの製造方法を示す工程図である。ワイヤーハーネスの製造方法は、電線に対して切断処理及び端子圧着処理を施して電線保持バー１０にセットする切断セット工程と、電線保持バー１０にセットされた端子付き電線１８の端部を掴んで処理を行う端部処理工程と、端子付き電線１８に対して中間処理を行う中間処理工程と、サブアッシーを組立てるサブアッシー製造工程と、ワイヤーハーネス組立工程とを備えている。
【００９４】
切断セット工程は、電線を切断して端部に端子を圧着した端子付き電線１８を製造する工程と、製造された端子付き電線１８の端部を個別に取扱って上記電線保持バー１０の各電線保持部１４にセットする工程である。
【００９５】
本工程を実施するための装置としては、上記した切圧セット装置を用いることができる。
【００９６】
このような切圧セット装置を用いた場合、上記したように、異なる種類の端子付き電線１８を混在させて製造することも、端子付き電線１８をその種類別に製造することも可能である。
【００９７】
もっとも、異なる種類の端子付き電線１８を混在させて製造する場合、必ずしも上記切圧セット装置を用いて実施される場合に限られない。
【００９８】
例えば、種類別に端子付き電線１８を保持した電線保持バー１０を複数準備し、各電線保持バー１０にセットされた各種類の端子付き電線１８を適宜別の電線保持バー１０に移し替えてセットしていくことで、異なる種類の端子付き電線１８を混在させた電線保持バー１０を得ることもできる。
【００９９】
つまり、製造された端子付き電線１８の端部を個別に取扱って上記電線保持バー１０の各電線保持部１４にセットするとは、製造された端子付き電線１８を束ねる形態を経ないで、機械等による相互区別及び個別処理可能な状態を経て、上記電線保持バー１０の各電線保持部１４にセットすることをいう。
【０１００】
なお、本工程から搬送される全ての電線の両端部に端子が圧着されている必要はなく、例えば、一端だけに端子が圧着された電線等が存在していてもよい。
【０１０１】
本実施形態における切断セット工程は、より具体的には、次の２つの工程を含んでいる。
【０１０２】
一つ目の工程は、製造された端子付き電線１８の端部を個別に取扱って、後述する次工程である端部処理工程における作業順に応じた順で並ぶように、端子付き電線１８の端部を複数の電線保持部１４にセットする工程である（工程（ａ））。
【０１０３】
ここで、次工程である端部処理工程における作業順とは、後述するように、端子付き電線１８の端部をコネクタハウジングに挿入していく順である。この作業順に応じた順で、端子付き電線１８の端部が複数の電線保持部１４に並んでセットされることで、端子付き電線１８の端部をコネクタハウジングに容易に挿入していくことができる。
【０１０４】
つまり、本工程の対象となる端子付き電線１８は、後述する中間処理を経ることなく、次工程において、複数種の端子付き電線１８の端部を掴んで順次処理されるものである。より具体的には、中間処理を経ることなく、コネクタハウジングに順次挿入される端部を持つ複数種の端子付き電線１８が対象である。
【０１０５】
なお、作業順に応じた順で並ぶように、端子付き電線１８の端部を複数の電線保持部１４にセットするとは、作業順と端子付き電線１８の端部の並び順とが必ずしも完全に一致する必要はなく、次工程での作業に適した順で端子付き電線１８の端部を並べた場合を含むことを意味している。次工程での作業に適した順は、例えば、作業順で端子付き電線１８の端部を並べて試行的に実際の作業を行い、端子付き電線１８の中間部分同士の交差状況等を見て相互干渉しないように並び替えを行う等して、決定することができる。
【０１０６】
２つ目の工程は、製造された端子付き電線１８の端部を個別に取扱って、端子付き電線１８の種類別に電線保持バー１０の各電線保持部１４にセットする工程である（工程（ｃ））。
【０１０７】
本工程の対象となるのは、後述する中間工程を施される端子付き電線１８である。つまり、中間工程が必要となる端子付き電線１８に関しては、当該中間工程を同一種の端子付き電線１８に対して連続的に行った方が効率がよい。そこで、このような端子付き電線１８については、種類別にまとめて製造するのである。
【０１０８】
端部処理工程は、電線保持バー１０の各電線保持部１４で保持された端子付き電線１８の端部を掴んで処理を行う工程であり（工程（ｂ））、より具体的には、複数の電線保持部１４で保持された端子付き電線１８の端部を順次掴んでコネクタハウジングに挿入する工程である。
【０１０９】
すなわち、ワイヤーハーネスを製造するにあたっては、その完成品形態よりも小さい形態であるサブアッシーに分けて製造し、そのサブアッシーを複数組合わせてワイヤーハーネスの完成形態とする工法が採用される。本工程では、そのようなサブアッシーを構成するための一又は複数のコネクタハウジングを準備し、当該コネクタハウジングを一列又は複数列に並べて設置する。なお、ここで用いられるコネクタハウジングは、通常多極コネクタ用のものであり、従って、複数の端子挿入孔を並列状に有している。そして、上記電線保持バー１０に並列状にセットされた端子付き電線１８の端部を順次コネクタハウジングの各端子挿入孔に挿入していく。ここで、端子付き電線１８の端部をコネクタハウジングに挿入していく挿入作業順は、例えば、各コネクタハウジング毎に、左方から右方の順又はその逆順に及び上方から下方の順又はその逆順に、端子付き電線１８の端部を各端子挿入孔に挿入していくことができるような順に決定される。もっとも、実際の作業性、例えば、端子付き電線１８の中間部が相互干渉しないように、上記挿入作業順を適宜変更してもよい。
【０１１０】
本工程は、電線保持バー１０にセットされた端子付き電線１８の端部を電線端部把持機構にて把持して、並列配置されたコネクタハウジングに順次挿入していく装置６０を用いて行ってもよいし、或は、手作業にて行ってもよい。いずれにせよ、電線保持バー１０には、端子付き電線１８の端部が並列状にセットされ、かつ、ここでの作業順に応じた順で並んでいるので、ここでの挿入作業を容易に行うことができ、かつ、電線や端子への傷付き、破損等を防止できる。
【０１１１】
本工程を経ることで、端部をコネクタハウジングに挿入することで、複数の端子付き電線１８がまとめられたサブアッシーの前形態のものを得ることができる。
【０１１２】
中間処理工程は、種類別に製造された端子付き電線１８に対して中間処理を施す工程である（工程（ｄ））。
【０１１３】
中間処理としては、端子付き電線１８のうち端子が圧着されていない側の端部に電線端部にゴム栓付の端子等の特殊な端子を圧着する圧着処理（図９のＭ１参照）や、端子付き電線１８のうち端子が圧着されていない側の端部同士を溶接する溶接処理（図９のＭ２参照）、端子付き電線１８の中間部の被覆を除去する中間皮剥処理（図９のＭ３参照）、複数の端子付き電線１８を捩り合わせてツイストを加えるツイスト処理（図９のＭ４参照）等が挙げられる。これらの中間処理は、ワイヤーハーネスを構成する電線のうち一部に対して行われるものであり、同一種類の端子付き電線１８に対して連続的に行う処理として適した処理である。
【０１１４】
これらの処理は、部分的又は全体的に自動処理機械にて行ってもよいし、或は、手作業にて行ってもよい。
【０１１５】
特に、端子付き電線１８の端部が電線保持バー１０の各電線保持部１４にセットされた状態で搬送されている場合には、各端子付き電線１８の端部を自動処理機械によって把持して上記のような特殊端子の圧着、溶接、中間皮剥、ツイスト等の処理を行い易いという利点がある。もちろん、手作業で行う場合にも、端子付き電線１８の端部を個別に掴んで取出して処理を行うことが容易である。
【０１１６】
本工程で得られた中間処理を施された端子付き電線１８は、サブアッシー製造工程又はワイヤーハーネス組立工程に搬送される。
【０１１７】
サブアッシー製造工程は、上記端部処理工程で処理されたもの、即ち、複数の端子付き電線１８がコネクタハウジングを介して連結されてまとめられたものと、中間処理工程で処理された少なくとも一つの端子付き電線１８とで、ワイヤーハーネスの一部であるサブアッシー１９を製造する。例えば、中間処理工程で処理された少なくとも一つの端子付き電線１８の端部を、上記コネクタハウジングの空きの端子挿入孔に挿入することで、サブアッシー１９を製造する（工程（ｅ））。
【０１１８】
かかる工程は、通常、作業者による手作業により行われる。場所的には、端子付き電線１８の端部をコネクタハウジングに挿入する作業位置の傍で行ってもよく、全く別位置で行ってもよい。
【０１１９】
ワイヤーハーネス組立工程では、上記サブアッシー１９や中間処置された端子付き電線１８を適宜用いて最終的なワイヤーハーネスの形態に組立てる工程である。この工程は、通常、作業者による手作業により行われる。ワイヤーハーネス組立工程は、上記端部処理工程で処理された端子付き電線１８と、中間処理工程で処理された少なくとも一つの端子付き電線１８とで、ワイヤーハーネスを製造する工程（工程（ｅ））であるともいえる。
【０１２０】
このようにして製造されたワイヤーハーネスは、検査工程等を経て、車両等に組付けられる。
【０１２１】
このワイヤーハーネスの製造方法では、端子付き電線１８の端部は、電線保持バー１０の電線保持部１４にセットされた状態で、下流工程に搬送される。このため、従来のように、端子付き電線を束ねて取扱っていた場合と比較して、端子付き電線１８の端部を個別に掴んで取出して処理を行うことが容易となり、当該下流工程での作業利便性に優れる。
【０１２２】
また、端子付き電線の端部は電線保持バー１０の各電線保持部１４によって並列状に保持されているため、端子同士又は端子と電線中間部との接触が有効に回避され、電線や端子の傷付き、破損等を有効に防止できる。
【０１２３】
なお、端子付き電線１８の両端部が電線保持バー１０にセットされても、端子付き電線の一端だけが電線保持バー１０にセットされてもよい。
【０１２４】
特に、切断セット工程で、次の端部処理工程での作業順に応じた順で並ぶように、端子付き電線１８の端部を電線保持バー１０の各電線保持部１４にセットしているため、当該端部処理工程での処理、ここでは、複数の端子付き電線１８の端部をコネクタハウジングへ順次挿入していく処理を容易かつ円滑に行うことができる。
【０１２５】
また、端子付き電線１８のうち中間処理を行う必要がないものについては、上記のように、切断セット工程で、次の端部処理工程での作業順に応じた順で並ぶように、端子付き電線１８の端部を電線保持バー１０の各電線保持部１４にセットする一方で、端子付き電線１８のうち中間処理を行う必要があるものについては、端子付き電線１８を種類別に製造し、次の中間処理工程で、種類別に中間処理を施している。そして、これらを組合わせてサブアッシー１９或はワイヤーハーネスを組立てる。従って、端子付き電線１８に対して加えられる製造処理の内容に応じて、複数種の端子付き電線１８の連続処理又は同種の端子付き電線１８の連続処理を施して効率的にワイヤーハーネスを製造することができる。
【０１２６】
しかも、端子付き電線１８を種類別に製造する場合にも、種類別に端子付き電線１８の端部を電線保持バー１０にセットしているため、これらの端子付き電線についても、次に中間処理作業での作業利便性に優れると共に、電線や端子への傷付き、破損等を有効に防止できる。
【０１２７】
なお、上記中間処理工程は、必ずしも必要ではないし、従って、端子付き電線１８を種類別に製造する工程は省略されてもよい。
【図面の簡単な説明】
【０１２８】
【図１】実施形態に係る切圧セット装置の全体構成を示す説明図である。
【図２】図２（ａ）は電線保持バーを示す平面図であり、図２（ｂ）は同電線保持バーを示す正面図である。
【図３】電線端部回転部を示す正面図である。
【図４】電線端部回転部を示す側面図である。
【図５】電線端部搬送セット部を示す正面図である。
【図６】電線端部搬送セット部の要部を示す正面図である。
【図７】電線端部搬送セット部の要部を示す側面図である。
【図８】電線保持バー支持部を示す正面図である。
【図９】実施形態に係るワイヤーハーネスの製造方法を示す工程図である。
【符号の説明】
【０１２９】
１０  電線保持バー
１４  電線保持部
１８  端子付き電線
１９  サブアッシー
２２  切圧機構部
３０  電線端部セット機構部
３２  電線端部保持セット部
３３  電線端部回転部
３６  電線端部搬送セット部
４０  電線保持バー支持部
５０  制御ユニット
【図１】
0005194772.tif 000002
【図２】
0005194772.tif 000003
【図３】
0005194772.tif 000004
【図４】
0005194772.tif 000005
【図５】
0005194772.tif 000006
【図６】
0005194772.tif 000007
【図７】
0005194772.tif 000008
【図８】
0005194772.tif 000009
【図９】
0005194772.tif 000010